(57)【特許請求の範囲】
【請求項１】
揮散性薬剤成分を含む粒状のゲル状もしくは固体状薬剤ビーズを収容したビーズ供給容器と、このビーズ供給容器のビーズ出口が接続されるビーズ受け入れ口及び前記揮散性薬剤成分を揮散させる通風口を有する揮散室とを備えた薬剤揮散装置において、
前記ビーズ供給容器は上部中央にビーズ出口を有するマチ付きのラミネート製パウチからなり、前記ビーズ出口は先端に雄ねじ部を有し、当該雄ねじ部にねじキャップが螺合するものであり、
前記揮散室の前記ビーズ受け入れ口は上を向き、前記ビーズ受け入れ口の上端の内面には前記ビーズ出口の雄ねじ部が螺合する雌ねじ部が形成されており、前記ビーズ供給容器は倒立状態で、且つ前記ねじキャップが取り外された状態で前記ビーズ出口が前記ビーズ受け入れ口に螺合されるものであり、前記ビーズ供給容器は前記倒立状態にパウチスタンドで吊り下げ支持されるものであり、前記ビーズ供給容器から前記ビーズ出口を通じて前記揮散室に流れ込んだ前記薬剤ビーズが空中に薬剤成分を揮散するものであり、前記揮散室内の前記薬剤ビーズの量的減少は前記ビーズ供給容器から新たな薬剤ビーズが降りてくることにより補填されることを特徴とする薬剤揮散装置。
【発明の詳細な説明】
【技術分野】
【０００１】
本発明は、主に室内で使用する薬剤揮散装置に関する。
【背景技術】
【０００２】
芳香剤や消臭剤のような薬剤を揮散し徐放する装置として、これまでにも様々なタイプのものが提案されている。例えば特許文献１には、倒立型の容器に入れた液体芳香剤を液供給小孔を通じ揮散紙に供給し、揮散紙より空中に芳香成分を徐放する装置が記載されている。特許文献２には、揮散性薬剤を含むゲル状の芳香剤、消臭剤を倒立型の薬剤収容容器に入れ、ゲルの下端を薬剤収容容器より露出させて空中に薬剤成分を揮散する装置が記載されている。
【特許文献１】特開平９−２５３１８５号公報
【特許文献２】特開２００６−１１０１４２号公報
【発明の開示】
【発明が解決しようとする課題】
【０００３】
芳香剤や消臭剤のような薬剤の容器としては、特許文献１、２記載の例でもそうであるが、合成樹脂の成型品（多くの場合はブロー成型品）が用いられており、嵩高であるため、廃棄物としての処理が厄介である他、物流コストの押し上げ要因ともなるという問題があった。
【０００４】
また特許文献１記載のもののように、液体状の揮散性薬剤を入れた容器を倒立させる方式では、容器、多孔質材の揮散体、樹脂射出成型物等からなる供給体、台座、カバー、容器を支持するキャップといった具合に多くの部品を要し、組立工数も増え、コスト高となる。部品の管理も煩雑である。
【０００５】
特許文献２記載のもののように、ゲル状の揮散性薬剤を入れた容器を倒立させる方式では、時間が経過して揮散性薬剤の露出部が収縮・減少するに伴い、容器内の揮散性薬剤が自重で降下して新たな箇所が露出する。しかしながら揮散性薬剤は単一のゲルであり、薬剤の揮散によるゲルの収縮は気温や気流によって左右されるところから、自重で降下して新たな箇所が露出するという動きが一定レートで生じることはなく、全使用期間を通じて揮散効果を一定に保つことは難しい。
【０００６】
本発明は上記の問題に鑑みなされたものであり、揮散性薬剤の形態を、粒状のゲル状もしくは固体状薬剤ビーズとすることにより、薬剤の安定供給・自動供給を可能とするという倒立型容器のメリットを享受しつつ、揮散性薬剤が液体状あるいは単一のゲル状である場合の不具合を克服したものである。そして、組立が簡単で、かつ、全使用期間を通じて一定の薬剤揮散効果が得られる薬剤揮散装置を提供し、同時に、物流時や廃棄時に体積がかさばらない容器で揮散性薬剤を供給できるようにすることを目的とする。
【課題を解決するための手段】
【０００７】
上記目的を達成するため本発明では、揮散性薬剤成分を含む粒状のゲル状もしくは固体状薬剤ビーズを収容したビーズ供給容器と、このビーズ供給容器のビーズ出口が接続されるビーズ受け入れ口及び前記揮散性薬剤成分を揮散させる通風口を有する揮散室とを備えた薬剤揮散装置において、前記ビーズ供給容器は上部中央にビーズ出口を有するマチ付きのラミネート製パウチからなり、前記ビーズ出口は先端に雄ねじ部を有し、当該雄ねじ部にねじキャップが螺合するものであり、前記揮散室の前記ビーズ受け入れ口は上を向き、前記ビーズ受け入れ口の上端の内面には前記ビーズ出口の雄ねじ部が螺合する雌ねじ部が形成されており、前記ビーズ供給容器は倒立状態で、且つ前記ねじキャップが取り外された状態で前記ビーズ出口が前記ビーズ受け入れ口に螺合されるものであり、前記ビーズ供給容器は前記倒立状態にパウチスタンドで吊り下げ支持されるものであり、前記ビーズ供給容器から前記ビーズ出口を通じて前記揮散室に流れ込んだ前記薬剤ビーズが空中に薬剤成分を揮散するものであり、前記揮散室内の前記薬剤ビーズの量的減少は前記ビーズ供給容器から新たな薬剤ビーズが降りてくることにより補填されることを特徴としている。
【０００８】
この構成によると、揮散性薬剤成分を粒状のゲル状もしくは固体状薬剤ビーズの形態で供給するものであるから、液体や単一のゲルの形で供給するものに比べ、取り扱いが容易で、揮散分の補充もスムーズに行える。薬剤ビーズはスムーズに揮散室に移すことができ、またビーズ供給容器の薬剤ビーズを残さず使い切ることも容易である。従って、全使用期間を通じて一定の薬剤揮散効果を得ることができる。揮散装置の組立も簡単になる。さらに、ビーズ供給容器がマチ付きのパウチ形態であるから、カートンケースに詰め込みやすく、物流コストの切り下げが可能となる。また薬剤ビーズを使い切って廃棄するときはつぶすか丸めるかしてビーズ供給容器の体積を縮小できるので、扱いが楽である。
【０００９】
また本発明に係る薬剤揮散装置では、前記ビーズ供給容器を倒立状態で吊り下げ支持するパウチスタンドが組み合わせられている。
【００１０】
この構成によると、ビーズ供給容器を最後まで倒れないように支持することができる。
【発明の効果】
【００１１】
本発明によると、薬剤揮散装置において、薬剤ビーズを供給する容器をパウチ形態としたことにより、カートンケースに詰め込みやすく、廃棄するときはつぶすか丸めるかして体積を縮小できるなどのハンドリング上のメリットを享受できる。
【発明を実施するための最良の形態】
【００１２】
以下、本発明に係る薬剤揮散装置の第１実施形態を図１、２に基づき説明する。図１はビーズ供給容器をセットした薬剤揮散装置の模型的垂直断面図、図２はビーズ供給容器の斜視図である。
【００１３】
薬剤揮散装置１は、揮散室１０及びこれに接続されるビーズ供給容器２０により構成される。揮散室１０を構成するのは平面形状円形の受け皿１１と、それに覆い被さるドーム形状の蓋１２である。受け皿１１の縁からは環状周壁１３が立ち上がる。環状周壁１３は上部が少しすぼまった形になっており、そのすぼまり箇所に蓋１２の下端が外側から被さって印籠嵌合を形成している。
【００１４】
蓋１２には周囲全周にわたり格子状の通風口１４が形成されている。通風口１４は揮散性薬剤成分を揮散させるためのものであり、それを構成する個々の開口は、後述する薬剤ビーズが通り抜けられない大きさとなっている。
【００１５】
蓋１２の中心にはビーズ受け入れ口１５が形成される。ビーズ受け入れ口１５は真上に向かって突き出した筒状の部分であり、上端の内面には雌ねじ部１６が形成されている。
【００１６】
ビーズ供給容器２０を構成するのはラミネートフィルム製のパウチ２１である。パウチ２１は、アルミニウム箔や合成樹脂層を数層積層してガスバリア性を高めたラミネートフィルムを素材とするものであり、図２に示すマチ付きの形状に仕上げられる。パウチ２１の上部中央、内容物の出入り口となる部分には、合成樹脂の射出成型品である筒状のビーズ出口２２が挿入され、パウチ２１とビーズ出口２２は気密に溶着される。ビーズ出口２２には、外面の中ほどに外フランジ２３が形成され、先端には雄ねじ部２４が形成されている。
【００１７】
外フランジ２３はパウチ２１へのビーズ出口２２の挿入深さを規制し、またパウチ２１を持ち上げる際のつまみともなる。雄ねじ部２４にはねじキャップ２５（図２参照）が螺合する。ねじキャップ２５を取り外した後の雄ねじ部２４は、ビーズ受け入れ口１５の雌ねじ部１６に螺合される。
【００１８】
パウチ２１はビーズ出口２２のある側及びその反対側にシール部を有している。ビーズ出口２２の反対側のシール部には、中央に貫通穴２６が形成される。
【００１９】
ビーズ供給容器２０には揮散性薬剤成分を含む粒状のゲル状もしくは固体状の薬剤ビーズ２７が多数充填される。薬剤ビーズ２７は、芳香剤、消臭剤、防虫剤等の揮発性薬剤成分を含むゲルや粉末原料を小球体の形にしたものである。ビーズ供給容器２０に所定量の薬剤ビーズ２７を充填した後、ビーズ出口２２の先端を図示しないシール部材でシールし、雄ねじ部２４にねじキャップ２５を螺合し、最後に全体をシュリンク包装して完成形態とする。
【００２０】
未使用のビーズ供給容器２０を使い始めるときは、シュリンク包装を剥がし、ねじキャップ２５を取り外し、前記図示しないシール部材をビーズ出口２２から剥がした上で、ビーズ供給容器２０を倒立させ、ビーズ出口２２をビーズ受け入れ口１５に差し込む。そして雄ねじ部２４を雌ねじ部１６に螺合させる。するとビーズ出口２２を通じて揮散室１０に薬剤ビーズ２７が流れ込む。揮散室１０に入った薬剤ビーズ２７は空中に薬剤成分を揮散する。薬剤成分を含んだ空気は通風口１４から流れ出し、室内に拡散される。
【００２１】
薬剤ビーズ２７は、薬剤成分が揮散するにつれて体積が小さくなって行く。揮散室１０内の薬剤ビーズ２７の量的減少は、新たな薬剤ビーズ２７がビーズ供給容器２０から降りてくることにより補填される。薬剤ビーズ２７の降下がスムーズに進行するよう、実験を通じ薬剤ビーズ２７の直径とビーズ出口２２の口径との最適関係を求めるのが良い。
【００２２】
ビーズ供給容器２０の中の薬剤ビーズ２７を使い切ったら、使用済みのビーズ供給容器２０を取り外して未使用のものに交換する。使用済みのビーズ供給容器２０はつぶすか丸めるかして体積を小さくした上で廃棄することができる。
【００２３】
本発明の第２実施形態を図３に示す。図３は図１と同様の模型的垂直断面図である。
【００２４】
第２実施形態が第１実施形態と異なる点は、ビーズ出口２２とビーズ受け入れ口１５の結合の仕方である。すなわち第１実施形態ではねじ結合であったが、第２実施形態では弾性的嵌合による結合とした。これを実現するため、ビーズ出口２２の先端に高さの低い外フランジ２８を形成し、ビーズ受け入れ口１５の内面には外フランジ２７を弾性的に係合させる溝２９を形成した。
【００２５】
本発明の第３実施形態を図４に示す。図４は図１と同様の模型的垂直断面図である。
【００２６】
第３実施形態が第１実施形態と異なる点は、ビーズ供給容器２０を最後まで倒れないように倒立状態で吊り下げ支持するパウチスタンド３０を組み合わせたことである。パウチスタンド３０は、揮散室１０を載置する台座３１と、台座３１の側面から水平に突き出した後、上方に直角に曲がり、所定高さで再び水平に曲がる、コ字形の支持ロッド３２により構成される。支持ロッド３２の先端はフック部３３となっており、貫通孔２６をフック部３３に嵌合させてビーズ供給容器２０を吊り下げる。
【００２７】
以上本発明の各実施形態につき説明したが、この他、発明の主旨から逸脱しない範囲で種々の改変を加えて実施することができる。
【産業上の利用可能性】
【００２８】
本発明は、薬剤揮散装置に広く利用可能である。
【図面の簡単な説明】
【００２９】
【図１】ビーズ供給容器をセットした薬剤揮散装置の模型的垂直断面図
【図２】ビーズ供給容器の斜視図
【図３】第２実施形態に係る、ビーズ供給容器をセットした薬剤揮散装置の模型的垂直断面図
【図４】第３実施形態に係る、ビーズ供給容器をセットした薬剤揮散装置の模型的垂直断面図
【符号の説明】
【００３０】
１    薬剤揮散装置
１０  揮散室
１１  受け皿
１２  蓋
１４  通風口
１５  ビーズ受け入れ口
２０  ビーズ供給容器
２１  パウチ
２２  ビーズ出口
【図１】
0004872872.tif 000002
【図２】
0004872872.tif 000003
【図３】
0004872872.tif 000004
【図４】
0004872872.tif 000005